(57)【要約】【課題】簡単な操作で処方箋に従った正確な投薬が可能となる薬液計量器具を提供すること。【解決手段】薬液計量器具は、結合部と、第１容器及び第２容器とを含む。孔があけられた分離膜を結合部の内部に備える。 第１容器と第２容器は、前記結合部の両側に対称的に螺子結合されている。【選択図】図３
2011501980.tif 000002
【特許請求の範囲】
【請求項１】
孔があけられた分離膜を内部に備えた結合部と、
前記結合部の両側に対称的に螺子結合された第１容器及び第２容器とからなり、
前記第１容器及び前記第２容器の一方は、伸縮性のある素材からなり、
前記分離膜は、上面及び下面が互いに対称的でかつフラットな又は凹んだ形状を有するように形成されており、
前記孔は、直径が０.５ｍｍ乃至３ｍｍである、薬液計量器具。
【請求項２】
孔があけられた分離膜を内部に備え、第一の側部が第１容器に結合されるように形状づけられた結合部と、
前記結合部の第二の側部に螺子結合された第２容器からなり、
前記第１容器及び前記第２容器の一方は、伸縮性のある素材からなり
前記分離膜は、上面及び下面が互いに対称的でかつフラットな又は凹んだ形状を有するように形成されており、
前記孔は、直径が０.５ｍｍ乃至３ｍｍである、薬液計量器具。
【発明の詳細な説明】
【技術分野】
【０００１】
本発明は、薬液計量器具に関し、さらに詳しくは、簡単な操作で処方箋に従った正確な投薬が容易に行われるように液状の薬の投与量を正確に計量することによって、薬濫用による弊害を予防することができる薬液計量器具に関する。
【背景技術】
【０００２】
通常、液状の薬を服用する方法として、ボトルに入っている薬液を計量スプーンや透明な計量コップで計って飲む方法があるが、前述した方法では、処方箋にしたがった正確な服用量を容易に計量することはできなかった。
【０００３】
液状の薬を服用すべく、ボトル内に収容された薬液を計量スプーンに注出して飲む場合、薬のボトルを傾ける程度によって薬液が前記計量スプーンからこぼれるなどの問題が頻繁に起こる。
【０００４】
薬液を計量コップに注出して飲む場合は、計量コップに薬液を過度に注出してしまう虞があり、ボトル内に再び戻さなければならない問題点があった。また、計量コップを使用後、綺麗に洗浄しなければならないので、面倒であった。また、洗浄しなかった場合は、コップ内の残存物によりべたべたになることもあり、計量コップの内側面が大気に露出された状態に保管されるので、非衛生的である。しかも、計量コップを携帯及び保管することが面倒で、紛失の虞もあった。
【０００５】
特に、服用者が子供の場合は、薬を拒否し、身体を捻ったり、動かしたりして、薬液をこぼすことが多かった。
【発明の概要】
【発明が解決しようとする課題】
【０００６】
本発明の目的は、適正な一定量に分けて服用するようになる液状の薬(薬液)を正確に計量することが可能であり、且つ、操作が簡単なので、使用者にとり利便性が図れる、低製造コストの薬液計量器具を提供することにある。
【課題を解決するための手段】
【０００７】
前述した目的を達成するために、本発明に係る薬液計量器具は、孔があけられた分離膜を内部に備えた結合部と、前記結合部の両側に対称して結合される第１容器及び第２容器とからなる。
【０００８】
また、前述した目的を達成するために、本発明に係る他の薬液計量器具は、孔があけられた分離膜を内部に備えており、一側に第１容器と組み合わされた結合部、及び前記結合部の他の一側に組み合わされる第２容器からなる。
【０００９】
本発明に係る薬液計量器具において、前記孔は、直径が０.５ｍｍ乃至３ｍｍである。
【００１０】
さらに、前記孔は、複数個からなっている。
【００１１】
本発明に係る薬液計量器具において、前記第１容器又は第２容器の何れか一つは、伸縮性のある素材からなる。
【００１２】
さらに、前記第１容器又は第２容器の何れか一つは、透明又は半透明の素材からなる。
【００１３】
本発明に係る薬液計量器具において、前記第１容器又は第２容器の何れか一つは、容積を細分化するために目盛りを付けて形成する。
【００１４】
さらに、前記目盛りは、数値を含む。
【００１５】
本発明に係る薬液計量器具において、前記第１容器又は第２容器の何れか一つは、開閉部を備えている。
【００１６】
本発明に係る薬液計量器具において、前記分離膜は、上面と下面が互いに対称して形成されている。
【００１７】
本発明に係る薬液計量器具において、前記分離膜は、上面と下面がフラットな形状か、または凹んだ形状に形成される。 
【００１８】
本発明に係る薬液計量器具において、前記結合部は、第１または第２容器の何れか一つに螺子結合する構造からなっている。
【００１９】
本発明に係る他の薬液計量器具において、前記結合部は、前記第２容器と螺子結合する構造からなっている。
【発明の効果】
【００２０】
本発明に係る薬液計量器具によれば、簡単な操作で内部に収容されている薬液の量を正確に計量して経口投薬することができる。即ち、本発明に係る薬液計量器具は、二つの空間が、少なくとも一つ以上の孔を介してつながっているので、必要に応じて一方の空間から他方の空間に薬液を移動させることができ、薬状の医薬品のほかに皮膚に接触してはいけない農薬などの化学薬品の投与においても正確に計量することができる効果がある。
【００２１】
また、本発明に係る薬液計量器具は、薬液と直接接触する面が密閉されているので、薬液を投与するときを除いては、外部に露出されることがないので、使用する度ごとに洗浄して仕舞わなくても衛生的に使用することができる。
【００２２】
そして、本発明によれば、容器同士が一体化されているので、携帯及び保管が容易であり、紛失の心配を著しく減らす効果がある。
【図面の簡単な説明】
【００２３】
【図１】本発明に係る第１及び第２実施例の薬液計量器具を示す断面図。
【図２】本発明に係る第１及び第２実施例の薬液計量器具を示す断面図。
【図３】図１及び図２において、係止突起を備えた結合部を示す断面図。
【図４】本発明の第１実施例による薬液計量器具を用いて所定の液状物の定量を調節する一連の過程を示す断面図。
【図５】本発明の第１実施例による薬液計量器具を用いて所定の液状物の定量を調節する一連の過程を示す断面図。
【図６】本発明の第１実施例による薬液計量器具を用いて所定の液状物の定量を調節する一連の過程を示す断面図。
【図７】本発明の第１実施例による薬液計量器具を用いて所定の液状物の定量を調節する一連の過程を示す断面図。
【図８】本発明の第２実施例の薬液計量器具において、第１容器内の液体を注出させるために開閉部を開放した状態を示す断面図。
【発明を実施するための形態】
【００２４】
以下、本発明の望ましい実施例を添付図面に基づいてさらに詳細に説明する。図１及び図２は、本発明に係る第１及び第２実施例の薬液計量器具をそれぞれ示した断面図である。
【００２５】
そこで、前記第１及び第２実施例の薬液計量器具は、内容物を満たした状態で提供されてもよく、あるいは内容物がない空の状態に提供されてもよい。空の状態に提供された場合、使用者が必要とする液体を注入したあと、繰り返して使用することができると共に、最初使用したものと違う液体を注入して使用したい場合は、綺麗に洗ってから再使用することも可能である。
【００２６】
図１に示すように、本発明に係る第１実施例の薬液計量器具１００は、少なくとも一つ以上の孔１５があけられた分離膜１４０を内部に備えた結合部１３０と、前記結合部１３０の両側に対称して結合される第１容器１１０及び第２容器１２０からなる。
【００２７】
図２に示すように、第２実施例の薬液計量器具２００は、前記第１実施例と同じく、少なくとも一つ以上の孔２５０があけられた分離膜２４０を内部に備え、一側に第１容器２１０と結合された結合部２３０及び結合部２３０の他の一側に結合される第２容器２２０からなる。
【００２８】
本発明に係る第１又は第２実施例の薬液計量器具１００、２００において、孔１５０、２５０は、直径が０．５ｍｍ乃至３ｍｍであることが望ましい。孔１５０、２５０があまりにも小さすぎると、孔を通じて液体が流れにくく、孔１５０、２５０が大きい過ぎると、孔１５０、２５０の上位にある液状物は、その荷重に対する抵抗力が弱くなり、孔１５０、２５０を通じて継続的に流出されてしまうからである。
【００２９】
図面に示されていないが、孔１５０、２５０は、複数個から形成されてもよいが、その理由は、つまり、第１容器１１０、２１０と、第２容器１２０、２２０の間からより多い量の液体移動が求められるときに必要となる。したがって、孔１５０、２５０のサイズにおいて、本発明の使用用途に応じて異なるのは、当業者にとって自明である。
【００３０】
本発明に係る第１又は第２実施例の薬液計量器具１００、２００において、分離膜１４０、２４０は、図面に示されていないが、上面と下面が互いに対称して形成されることが望ましい。たとえば、分離膜１４０、２４０は、上面下面がフラット状になっているか、または凹状になっている。そのことから、孔１５０、２５０を通じた液体の流れが、第１容器１１０、２１０から第２容器１２０、２２０に、第２容器１２０、２２０から第１容器１１０、２１０に円滑に流れることができる、両方向性を有することになる。
【００３１】
一方、孔１５０、２５０のサイズをより大きくするためには分離膜１４０、２４０の厚みがさらに厚く形成されていなければならない。即ち、孔１５０、２５０の大きさは、分離膜１４０、２４０の厚みに比例して形成しなければならない。なぜならば、孔１５０、２５０の上位の液体は、重力により下方に向けて流れようとするが、分離膜１４０、２４０の厚み増加に起因し、孔１５０、２５０で重力反対方向の抵抗力が大きくなるからである。
【００３２】
本発明に係る第１又は第２実施例の薬液計量器具１００、２００において、第１容器１１０、２１０又は第２容器１２０、２２０の何れか一つは、伸縮性のある素材から形成される。例えば、前述した第１容器１１０、２１０又は第２容器１２０、２２０は、合成樹脂を原料として製作されてもよい。
【００３３】
こうした素材からなる第１容器１１０、２１０又は第２容器１２０、２２０の何れか一つの容器が押圧されると、第１容器１１０、２１０と第２容器１２０、２２０の間に圧力差が発生することになり、それによって第１容器１１０、２１０と第２容器１２０、２２０との間で孔１５０、２５０を通じて液体が流れることになる。
【００３４】
一方、第１容器１１０、２１０又は第２容器１２０、２２０の何れか一つは、透明又は半透明の素材から形成されていてもよい。
【００３５】
本発明に係る第１または第２実施例の薬液計量器具１００、２００において、第１容器１１０、２１０又は第２容器１２０、２２０の何れか一つは、容積を細分化するための目盛り(図示せず)を付けて形成することが望ましい。さらに、前記目盛りは数値を含むことが望ましい。即ち、第１容器１１０、２１０又は第２容器１２０、２２０の何れか一つには、内部に収容された液体の量を数値的に計量することができるように目盛りを付ける。
【００３６】
この際、前記目盛りは、前記分離膜１４０、２４０から量が計算された数値が表示されることができるが、第１容器１１０、２１０又は第２容器１２０、２２０において、分離膜１４０、２４０と反対位置から量が計算された数値を表示することが望ましい。さらに、分離膜１４０、２４０と分離膜１４０、２４０に対して反対となる位置からそれぞれ量が計算された数値を全て表示するようにする。
【００３７】
本発明に係る第１または第２実施例の薬液計量器具１００、２００において、第１容器１１０、２１０または第２容器１２０、２２０の何れか一つは、開閉部（図示せず）を備えることが望ましい。開閉部は、第１容器１１０、２１０または第２容器１２０、２２０の一部分に形成され、内部の液状物を流出または遮断させる。
【００３８】
図３は、図１及び図２において、係止突起を有する結合部を示す断面図である。
【００３９】
図面に示されたように、本発明に係る第１実施例の薬液計量器具１００において、結合部１３０は、外周縁から突出された係止突起１８０を備えて形成されることが望ましい。係止突起１８０は、第１容器１１０または第２容器１２０が結合部１３０の外部に挿入結合されるとき、第１容器１１０または第２容器１２０が過度に挿入されることを防止する役割を果たす。
【００４０】
また、本発明に係る第２実施例の薬液計量器具２００において、結合部２３０は、前記第１実施例と同じく、外周縁から突出された係止突起２８０を備えて形成されることが望ましい。係止突起２８０は、第２容器２２０が結合部２３０の外部に挿入結合されるとき、第２容器２２０が過渡に挿入されることを防止する。
【００４１】
さらに、図面に示されていなが、本発明に係る第１実施例の薬液計量器具１００において、結合部１３０は、第１容器１１０または第２容器２２０の何れか一つに螺子結合する構造を有するようになすことが望ましい。そこで、結合部１３０の結合面は、丸みを帯びて形成されており、結合部の結合面と結合される第１容器１１０または第２容器１２０の結合面が丸く形成されることは自明である。
【００４２】
また、本発明に係る第２実施例の薬液計量器具２００において、結合部２３０は、前記第１実施例と同じく第２容器２２０と螺子結合される構造を有するように構成することが望ましく、以下同じものの説明は省略する。
【００４３】
以上からわかるように、本発明に係る薬液計量器具を用いて液体を計量する動作原理は、次のとおりである。ここでは、第１実施例と第２実施例において、その動作原理が同じであるので、第１実施例に基づいて説明を行い、第２実施例に関する説明は省略する。
【００４４】
図４乃至図７は、本発明の第１実施例に係る薬液計量器具を用いて所定の液状物の定量を調節する一連の過程を示した断面図である。
【００４５】
先ず、図４に示したように、本発明に係る第１実施例の薬液計量器具１００において、第１容器１１０と結合された結合部１３０は、液体１６０が収容された第２容器１２０と結合される。そこで、第１容器１１０又は第２容器の何れか一つは、伸縮性を持つべきであるが、他の一つは、一例でガラス瓶のように伸縮性がないものでもよい。
【００４６】
それから、図５に示すように、図４の結果物を逆さまにすると、第２容器１２０に収容された液体１６０が重力により結合部１３０内の分離膜１４０を加圧することになるが、第２容器１２０に収容された液体１６０が分離膜１４０に形成された孔１５０を通じて第１容器１１０のほうに流れることはない。なぜならば、孔１５０の上位の液体１６０に作用する合力が、重力と孔１５０による抵抗力との和として０になるからである。そこで、孔１５０の抵抗力とは、液体１６０の付着力、凝集力、表面張力の和を意味する。
【００４７】
次いで、図６に示すように、第１容器１１０または第２容器１２０の何れか一つに力を与えて加圧する。一例で、第１容器１１０が加圧されると、第１容器１１０の形状が変わり、その体積が減少するが、この際、第１容器１１０内の圧力が上昇しながら、第１容器１１０内の空気が分離膜１４０の孔１５０を通じてつながっている第２容器１２０内の空間に送出される。
【００４８】
したがって、この時までは、第２容器１２０内の液体１６０が第１容器１１０のほうに流出されない。そして、加圧した力を解除すると、第１容器１１０が元の形状に戻ると同時に第１容器１１０内の圧力が急降することになり、第２容器内の液体１６０が１容器１１０のほうに移動しながら、第１容器１１０内の圧力が、第２容器１２０内の圧力と徐々に同じ圧力になると共に、孔を通じた液体１６０の移動が止まることになる。
【００４９】
一方、第２容器１２０が加圧されると、第２容器１２０の体積が減少されると同時に第２容器１２０内に収容された液体１６０が第１容器１１０の方に移動している途中、第２容器１２０が元の形状に戻るうちに第１容器内の圧力が第２容器１２０内の圧力と徐々に同じものになると共に、孔１５０を通じた液体１６０の移動が止まることになる。
【００５０】
それから、当初意図したことより多い量の液体１６０が第２容器１２０から第１容器１１０に流入された場合、図６の状態から該結果物を再び逆さまにして第１容器１１０または第２容器１２０を加圧する。すると、第１容器１１０内の液体１６０が第２容器１２０の内部に流れることになり、第１容器１１０に過度に満たされた液体１６０の量を調節することが極めて容易となる。
【００５１】
このような過程を繰り返すことによって、第１容器１１０に液体１６０が 必要量だけ満たされると、図７に示されたように、結合部１３０と組み合わされた第１容器１１０を解体し、第１容器１１０に収容された液体１６０を、外部の必要なところに投与する。
【００５２】
図８は、本発明の第２実施例における薬液計量器具において、第１容器内の液体を流出させるために開閉部を開放した状態を示す断面図である。
【００５３】
本発明に係る第２実施例の薬液計量器具２００において、内部に孔２５０があけられた分離膜２４０を備えており、第１容器２１０と一体化された結合部２３０は、液体２６０が収容された第２容器２２０と堅固に結合される。
【００５４】
それから、第１容器２１０と第２容器２２０との間に圧力差が発生するようにし、第２容器２２０から第１容器２１０に液体２６０が流出されるようにし、第１容器２１０に液体２６０が過多に満たされた場合は、第２容器２２０及び第１容器２１０が上下逆になるようにした後、第１容器２１０に収容された液体２６０を第２容器２２０内に再び流出させることによって、第１容器２１０に適正な一定量の液体が流入されるようになり、次いで開閉部２７０を開放し、第１容器２１０内の液体２６０を、必要なところに排出させる。この際、結合部２３０と一体化された第１容器２１０に収容された液体２６０は、孔２５０が設けられているにもかかわらず、圧力の変化がない限り、外部に流出されないことはもちろんである。
【産業上の利用可能性】
【００５５】
本発明は、薬液計量器具に関するもので、特に、簡単な操作で処方箋に従った正確な投薬が可能となるように液状の薬の投与量を正確に計量することによって、薬液濫用による弊害を予防することができる。
【００５６】
本発明は、医薬分野に限定されず、正確な測量を必要とする、薬瓶のような容器に適用することができる。本発明の一般的な有用性及び使用分野は、特許請求の範囲に記載された趣旨を逸脱しない限り、種々に変更することができる。
【符号の説明】
【００５７】
１００、２００  第１、２実施例の薬液計量器具 
１１０、２００  第１容器
１２０、２２０  第２容器
１３０、２３０  結合部
１４０、２４０  分離膜
１５０、２５０  孔
１６０、２６０  液体
２７０  開閉部
１８０、２８０  係止突起
【図１】
2011501980.tif 000003
【図２】
2011501980.tif 000004
【図３】
2011501980.tif 000005
【図４】
2011501980.tif 000006
【図５】
2011501980.tif 000007
【図６】
2011501980.tif 000008
【図７】
2011501980.tif 000009
【図８】
2011501980.tif 000010
【国際調査報告】
2011501980.tif 000011
2011501980.tif 000012